(57)【要約】【課題】竪樋が一直線状に垂下されるような形態となるように、外観良く簡単に施工することができる雨樋集水ますを提供する。【解決手段】箱型のます本体１の背板部２に排水管３が挿入される排水管導入口４が開口形成され、同ます本体１の底板部５に竪樋６が接続される落とし口筒部７が垂設された雨樋集水ますにおいて、ます本体１を横長状の箱型として排水管導入口４を横長状の長孔に形成した。また、落とし口筒部７に向けて下り傾斜となる水勾配をます本体１の底板部５の上面に設けた。【選択図】図１
2008127862.tif 000002
【特許請求の範囲】
【請求項１】
箱型のます本体の背板部に排水管が挿入される排水管導入口が開口形成され、同ます本体の底板部に竪樋が接続される落とし口筒部が垂設された雨樋集水ますであって、ます本体を横長状の箱型として排水管導入口を横長状の長孔に形成してなる雨樋集水ます。
【請求項２】
落とし口筒部に向けて下り傾斜となる水勾配をます本体の底板部の上面に設けたことを特徴とする請求項１記載の雨樋集水ます。
【請求項３】
ます本体の一方の側端部付近において底板部に落とし口筒部を垂設したことを特徴とする請求項２記載の雨樋集水ます。
【請求項４】
排水管導入口の上下巾寸法を挿入される排水管の外径寸法に略合致させて形成したことを特徴とする請求項１〜３のいずれか一項記載の雨樋集水ます。
【発明の詳細な説明】
【技術分野】
【０００１】
本願発明は、箱型のます本体の背板部に排水管が挿入される排水管導入口が開口形成され、同ます本体の底板部に竪樋が接続される落とし口筒部が垂設されてなり、例えば、建物の屋上排水用として施工される雨樋集水ますに関するものである。
【背景技術】
【０００２】
従来から、図４に示すように、箱型のます本体１の背板部２に排水管３が挿入される排水管導入口４が開口形成され、同ます本体１の底板部５に竪樋６が接続される落とし口筒部７が垂設された雨樋集水ますは知られている（特許文献１）。この雨樋集水ますは、建物の屋上排水用として施工されるものである。
【０００３】
すなわち、屋上に連通する排水管３が建物外壁を貫通してこの外壁面９から突設されており、背板部２に開口形成された排水管導入口４に同排水管３を挿入させた状態で同外壁面９に取着固定される。そして、外壁面９には支持具１２を介して竪樋６が保持されるものであり、底板部５に垂設された落とし口筒部７に同竪樋６の上端が嵌合接続される。この場合、雨樋集水ますから竪樋６が一直線状に垂下されて外観良く施工され、屋上から雨水等の汚水が排水管３、雨樋集水ます、竪樋６へとスムーズに流下排水される。
【特許文献１】特開平１１−２１０１８２号公報
【発明の開示】
【発明が解決しようとする課題】
【０００４】
しかしながら、図５に示すように、ベランダ、出窓等の外壁突出物や窓開口その他の現場建物の状況によって、外壁面９に突設される排水管３の位置から竪樋６が横に距離をあけずらせて施工される場合がある。このような場合、上記従来例である雨樋集水ますにあっては、落とし口筒部７及び竪樋６の上端に各々エルボ１５を嵌合し、両エルボ１５を横引き樋１６で接続する対応がとられる。この場合、雨樋集水ますから竪樋６が一直線状に垂下された良好な外観とならず、しかも、横引き樋１６とその両端にエルボ１５を要して施工も困難になる。
【０００５】
本願発明は、上記背景技術に鑑みてなされたもので、その課題は、竪樋が一直線状に垂下されるような形態となるように、外観良く簡単に施工することができる雨樋集水ますを提供することである。
【課題を解決するための手段】
【０００６】
上記課題を解決するために、本願請求項１記載の発明は、箱型のます本体の背板部に排水管が挿入される排水管導入口が開口形成され、同ます本体の底板部に竪樋が接続される落とし口筒部が垂設された雨樋集水ますであって、ます本体を横長状の箱型として排水管導入口を横長状の長孔に形成してなる。
【０００７】
本願請求項２記載の発明は、請求項１記載の雨樋集水ますにおいて、落とし口筒部に向けて下り傾斜となる水勾配をます本体の底板部の上面に設けたことを特徴とする。
【０００８】
本願請求項３記載の発明は、請求項２記載の雨樋集水ますにおいて、ます本体の一方の側端部付近において底板部に落とし口筒部を垂設したことを特徴とする。
【０００９】
本願請求項４記載の発明は、請求項１〜３のいずれか一項記載の雨樋集水ますにおいて、排水管導入口の上下巾寸法を挿入される排水管の外径寸法に略合致させて形成したことを特徴とする。
【発明の効果】
【００１０】
本願請求項１記載の発明である雨樋集水ますにおいては、ます本体を横長状の箱型として排水管導入口を横長状の長孔に形成しているので、外壁面に突設される排水管の位置から竪樋が横に距離をあけずらせて施工される場合であっても、横長状の長孔に形成された排水管導入口に排水管を挿入させた状態で、横長状の箱型となるます本体を水平に位置をずらせて外壁面に取着固定することができる。これによって、落とし口筒部に接続される竪樋が一直線状に垂下されて外観良く施工され、しかも、エルボや横引き樋等の部品も不要で簡単に施工することができる。
【００１１】
本願請求項２記載の発明である雨樋集水ますにおいては、特に、落とし口筒部に向けて下り傾斜となる水勾配をます本体の底板部の上面に設けているので、横長状の箱型となるます本体であっても、雨水等の汚水は水勾配により落とし口筒部に案内されて竪樋へとスムーズに流下排水される。
【００１２】
本願請求項３記載の発明である雨樋集水ますにおいては、特に、ます本体の一方の側端部付近において底板部に落とし口筒部を垂設しているので、落とし口筒部に接続される竪樋と横長状の長孔に形成された排水管導入口に挿入される排水管との距離を長くとることができ、同排水管と竪樋との大きな位置ずれに対応することができ、その際にも、雨水等の汚水は水勾配により落とし口筒部に案内されて竪樋へとスムーズに流下排水される。
【００１３】
本願請求項４記載の発明である雨樋集水ますにおいては、特に、排水管導入口の上下巾寸法を挿入される排水管の外径寸法に略合致させて形成しているので、横長状の長孔に形成された同排水管導入口に挿入される排水管がこの排水管導入口の上下口縁間で保持されて、同排水管とます本体との間でのがたつき動きは防止される。
【発明を実施するための最良の形態】
【００１４】
図１〜３は、本願請求項１〜４の全てに対応した一実施形態を示している。この実施形態の雨樋集水ますでは、箱型のます本体１の背板部２に排水管３が挿入される排水管導入口４が開口形成され、同ます本体１の底板部５に竪樋６が接続される落とし口筒部７が垂設されている。そして、この場合に、ます本体１を横長状の箱型として排水管導入口４を横長状の長孔に形成している。
【００１５】
また、この実施形態の雨樋集水ますでは、落とし口筒部７に向けて下り傾斜となる水勾配をます本体１の底板部５の上面８に設けており、この場合に、ます本体１の一方の側端部１ａ付近において底板部５に落とし口筒部７を垂設してもいる。しかも、この実施形態の雨樋集水ますでは、排水管導入口４の上下巾寸法Ｈを挿入される排水管３の外径寸法ｈに略合致させて形成している。
【００１６】
以下、この実施形態の雨樋集水ますをより具体的詳細に説明する。この実施形態の雨樋集水ますは、アパート、マンション、事務所ビル、倉庫等の建物の屋上排水用として施工されるものである。すなわち、屋上に連通された排水管３が建物外壁を貫通してこの外壁面９から略水平に突設されており、ます本体１の背板部２に開口形成された排水管導入口４に同排水管３を挿入させた状態で同外壁面９に取着固定される。そして、外壁面９には支持具１２を介して竪樋６が保持されるものであり、底板部５に垂設された落とし口筒部７に同竪樋６の上端が嵌合接続される。
【００１７】
ます本体１は外形が横長直方体の箱型であり、合成樹脂、金属等で一体に形成されたものである。ます本体１の背板部２の上縁には左右一対の取着片１０が上方へ延設されており、図３に示すように、同取着片１０に挿通されるネジや釘等の固定具１１によって同ます本体１は外壁面９に取着固定されている。なお、ます本体１の外壁面９への取着固定手段は、ネジや釘等に限らず接着、溶着その他適宜に選択採用することができる。
【００１８】
また、ます本体１の背板部２には、図２に示すように、その上位において横長略楕円形状の排水管導入口４が略水平に開口形成されている。排水管導入口４の横方向の長さ寸法はます本体１の横方向の長さ寸法にできるだけ近づくように大きく設定されており、同排水管導入口４の上下巾寸法Ｈは挿入される排水管３の外径寸法ｈに略合致するように設定されている。
【００１９】
排水管導入口４の口縁には、図３にも示すように、その全周にわたって内方へ傾斜して突出した先細状の軟質片１４が形成されており、挿入される排水管３は上下の同軟質片１４によってがたつきなく保持される。また、この軟質片１４は、ます本体１の内部で飛散する雨水等の汚水が排水管導入口４から外部へ漏出するのを防止する水返しの役目も果たす。なお、軟質片１４は硬質合成樹脂でなるます本体１に軟質合成樹脂で一体に成形されてもよいが、ます本体１が金属でなる場合等には別部材のものが取着されてもよい。
【００２０】
ます本体１の底板部５には落とし口筒部７が垂設されているが、この場合、ます本体１の一方の側端部１ａ付近において同落とし口筒部７は垂設されている。すなわち、落とし口筒部７は、横長状の長孔である排水管導入口４の一端付近に位置する。また、ます本体１の他方の側端部１ｂ付近において落とし口筒部７が垂設された雨樋集水ますを別部品として品揃えしておくことが好ましく、この場合は、施工現場での左右勝手に対応可能となる。なお、落とし口筒部７には竪樋６の上端が外側嵌合されて接続される。
【００２１】
ます本体１の底板部５の上面８には、前記落とし口筒部７に向けて下り傾斜となる水勾配が設けられている。この場合、図３に示すように、底板部５はその上側に上げ底板１３を備えており、この上げ底板１３に傾斜が付与されてその上面８に水勾配が設けられている。前記落とし口筒部７は、上げ底板１３上に連通開口するように設けられる。なお、上げ底板１３を備えることなく、一枚物の底板部５を傾斜させてその上面８に水勾配を設けてもよい。
【００２２】
したがって、この実施形態の雨樋集水ますにおいては、ます本体１を横長状の箱型として排水管導入口４を横長状の長孔に形成しているので、外壁面９に突設される排水管３の位置から竪樋６が横に距離Ｌをあけずらせて施工される場合であっても、横長状の長孔に形成された排水管導入口４に排水管３を挿入させた状態でスライドさせて、横長状の箱型となるます本体１を水平に位置をずらせて外壁面に取着固定することができる。これによって、落とし口筒部７に接続される竪樋６を一直線状に垂下するよう外観良く施工することができ、しかも、エルボや横引き樋等の部品も不要で簡単に施工することができる。
【００２３】
また、この実施形態の雨樋集水ますにおいては、落とし口筒部７に向けて下り傾斜となる水勾配をます本体１の底板部５の上面８に設けているので、横長状の箱型となるます本体１であっても、雨水等の汚水は水勾配により落とし口筒部７に案内されて竪樋６へとスムーズに流下排水される。しかも、この場合、ます本体１の一方の側端部１ａ付近において底板部５に落とし口筒部７を垂設しているので、落とし口筒部７に接続される竪樋６と横長状の長孔に形成された排水管導入口４に挿入される排水管３との距離Ｌを長くとることができ、同排水管３と竪樋６との大きな位置ずれに対応することができる。
【００２４】
更に、この実施形態の雨樋集水ますにおいては、排水管導入口４の上下巾寸法Ｈを挿入される排水管３の外径寸法ｈに略合致させて形成しているので、横長状の長孔に形成された同排水管導入口４に挿入される排水管３がこの排水管導入口４の上下口縁間で保持されて、同排水管３とます本体１との間でのがたつき動きは防止される。
【００２５】
また、外壁面９から突設される排水管３が下方へ折曲したエルボである場合、ます本体１を縦長垂直状となるように保持した状態で、背板部２の排水管導入口４に同排水管３を挿入させ、その後、同ます本体１を横長水平状となるように回動させて外壁面９に取着固定すれば良い。この場合、エルボである排水管３が背板部２の排水管導入口４の下側に引っ掛かって、同排水管３の抜け外れは確実に防止される。
【００２６】
なお、上記実施形態の雨樋集水ますでは、ます本体１の一方の側端部１ａ付近において底板部５に落とし口筒部７を垂設しているが、ます本体１の左右略中央位置において底板部５に落とし口筒部７を垂設することもできる。この場合、排水管３と竪樋６との大きな位置ずれには対応できなくなるが、別部品を品揃えすることなく左右勝手に対応可能となる。また、この場合も、落とし口筒部７に向けて下り傾斜となる水勾配をます本体１の底板部５の上面８に設ければ良い。
【図面の簡単な説明】
【００２７】
【図１】本願発明の一実施形態である雨樋集水ますの施工状態を示す斜視図。
【図２】同雨樋集水ますを示す背面図。
【図３】図２のＸ−Ｘ部位における同雨樋集水ますの施工状態を示す断面図。
【図４】従来例である雨樋集水ますの施工状態を示す斜視図。
【図５】従来例である雨樋集水ますの別の施工状態を示す斜視図。
【符号の説明】
【００２８】
１  ます本体
１ａ  一方の側端部
２  背板部
３  排水管
４  排水管導入口
５  底板部
６  竪樋
７  落とし口筒部
８  上面
Ｈ  排水管導入口の上下巾寸法
ｈ  排水管の外径寸法
【図１】
2008127862.tif 000003
【図２】
2008127862.tif 000004
【図３】
2008127862.tif 000005
【図４】
2008127862.tif 000006
【図５】
2008127862.tif 000007